(57)【要約】【課題】本発明は、筐体の形状の自由度やデザイン性を損なうことなく、筐体に孔を開けることができる電子機器の提供を目的とする。【解決手段】  電子機器(1)は、下ケース(11)およびこの下ケースを覆う上ケース(12)を有する筐体(10)と、この筐体に収容された内蔵部品(61)とを具備している。下ケースおよび上ケースは、夫々上記内蔵部品と対向する位置で互いに突き合わされる壁部（22,32）を有するとともに、下ケースの壁部および上ケースの壁部に、夫々上記内蔵部品と向かい合う孔(71,72)が設けられていることを特徴としている。【選択図】      図３
2005071323.tif 000002
【特許請求の範囲】
【請求項１】
下ケースおよびこの下ケースを覆う上ケースを有する筐体と、
上記筐体に収容された内蔵部品と、を具備し、
上記下ケースおよび上記上ケースは、夫々上記内蔵部品と対向する位置で互いに突き合わされる壁部を有するとともに、上記下ケースの壁部および上記上ケースの壁部に、夫々上記内蔵部品と向かい合う孔が設けられていることを特徴とする電子機器。
【請求項２】
請求項１の記載において、上記内蔵部品は、上記下ケースと上記上ケースとの間に跨るように配置されていることを特徴とする電子機器。
【請求項３】
請求項１又は請求項２の記載において、上記下ケースの孔と上記上ケースの孔は、互いに大きさが異なることを特徴とする電子機器。
【請求項４】
第１の孔が設けられた壁部を有する下ケースと、上記第１の壁部に結合されるとともに上記第１の孔よりも小さい第２の孔が設けられた壁部を有する上ケースと、を備える機器本体と、
上記機器本体に収容されるとともに、上記第１および第２の孔と向かい合う内蔵部品と、を具備したことを特徴とする電子機器。
【請求項５】
請求項４の記載において、上記第１の孔は、上記第２の孔よりも大きく形成されていることを特徴とする電子機器。
【発明の詳細な説明】
【技術分野】
【０００１】
本発明は、ポータブルコンピュータのような電子機器に関する。
【背景技術】
【０００２】
例えばポータブルコンピュータのような電子機器は、キーボードや表示ユニットを支持する箱状の筐体を備えている。この筐体は、例えばスピーカやファンのような各種の内蔵部品を収容している。筐体は、内蔵部品を取り囲む壁部を有しており、従来、この壁部のうち内蔵部品と向かい合う位置に孔を開けた電子機器が知られている。
【発明の開示】
【発明が解決しようとする課題】
【０００３】
従来の電子機器によると、筐体の壁部に孔を開ける場合に、筐体の形状が制約を受けることがあり得る。そのため、筐体のデザイン的な面での自由度が失われることがある。
【課題を解決するための手段】
【０００４】
本発明の一つの形態に係る電子機器は、
下ケースおよびこの下ケースを覆う上ケースを有する筐体と、上記筐体に収容された内蔵部品と、を具備しており、
上記下ケースおよび上記上ケースは、夫々上記内蔵部品と対向する位置で互いに突き合わされる壁を有するとともに、上記下ケースの壁部および上記上ケースの壁部に、夫々上記内蔵部品と向かい合う孔が設けられていることを特徴としている。
【発明の効果】
【０００５】
本発明によれば、筐体の形状の自由度やデザイン性を損なうことなく、筐体に孔を開けることができる。
【発明を実施するための最良の形態】
【０００６】
以下本発明の第１の実施の形態を、図１ないし図４を参照して説明する。
【０００７】
図１は、電子機器としてのノート型のポータブルコンピュータ１を開示している。ポータブルコンピュータ１は、機器本体２と表示ユニット３とを備えている。
【０００８】
機器本体２は、偏平な箱状の筐体１０を有している。筐体１０は、例えば机の天板のような設置面（図示せず）の上に置かれるようになっている。この筐体１０は、下ケース１１と上ケース１２とを有している。下ケース１１は、底壁２０と、底壁２０の前縁部から立ち上がる壁部としての前壁２２と、底壁２０の左右の側縁から立ち上がる左右の側壁２３，２４とを有している。上ケース１２は、底壁２０と対向する上壁３０と、上壁３０の前縁部から下方に延びる壁部としての前壁３２と、上壁３０の左右の側縁から下方に延びる左右の側壁３３，３４とを有している。
【０００９】
上ケース１２は、前壁３２および左右の側壁３３，３４の先端部を下ケース１１の前壁２２および左右の側壁２３，２４の先端部に夫々突き合わせるようにして、下ケース１１を上から覆っている。
【００１０】
上ケース１２の上壁３０は、パームレスト４０とキーボード取り付け部４１とを有している。キーボード取り付け部４１は、パームレスト４０の後方に位置するとともに、キーボード４２を支持している。上ケース１２の後端部に表示ユニット３を支持する一対の脚部４３ａ，４３ｂが設けられている。脚部４３ａ，４３ｂは、筐体１０の幅方向に互いに離間している。
【００１１】
表示ユニット３は、ディスプレイハウジング５０と、このディスプレイハウジング５０に収容された表示パネル５１とを備えている。ディスプレイハウジング５０の前壁５２には、表示用の開口部５３が設けられている。開口部５３は前壁５２の大部分にわたる大きさを有しており、この開口部５３を通じて表示パネル５１の表示画面がディスプレイハウジング５０の外方に露出している。
【００１２】
ディスプレイハウジング５０は、その一端部に凹部５４ａ，５４ｂを有している。凹部５４ａ，５４ｂは、ディスプレイハウジング５０の幅方向に離間しており、これら凹部５４ａ，５４ｂに筐体１０の脚部４３ａ，４３ｂが入り込んでいる。
【００１３】
図３および図４に示すように、機器本体２の筐体１０は内蔵部品６１を収容している。内蔵部品６１は、筐体１０の前端部において下ケース１１と上ケース１２との間に跨るように配置されている。
【００１４】
図２に示すように、下ケース１１の前壁２２の左右両端部および上ケース１２の前壁３２の左右両端部には、夫々孔７１，７２が設けられている。孔７１，７２は、夫々内蔵部品６１と向かい合っている。詳しくは、上ケース１２の前壁３２には内蔵部品６１と対向する一対の開口部７３が形成されている。開口部７３は、筐体１０の幅方向に延びる細長い開口形状を有している。開口部７３は、メッシュ部７４ａと、このメッシュ部７４ａを支える支持部７４ｂとを有するメッシュ部材７４で覆われている。メッシュ部７４ａは、数多くの網目を有し、各網目が上記孔７２を構成している。下ケース１１の孔７１は、上ケース１２の孔７２よりも大きく形成されている。また、下ケース１１の底壁２０からは、内蔵部品６１を支える支持板７５が垂直に張り出している。
【００１５】
図４に示すように、内蔵部品６１と筐体１０の内面との間に複数の保持部材７６が介在されている。保持部材７６は、内蔵部品６１の上部外面６３ａと筐体１０の上壁３０の内面３０ｂとの間、内蔵部品６１の前縁部外面６３ｂと筐体１０の前壁２２の内面２２ａとの間、内蔵部品６１の下部外面６３ｃと底壁２０の内面２０ｂとの間、および内蔵部品６１の後部外面６３ｄと支持板７５の前面との間に設けられている。
【００１６】
本実施形態のポータブルコンピュータ１によれば、下ケース１１および上ケース１２が内蔵部品６１の前方で互いに突き合わされる前壁２２，３２を夫々有するとともに、下ケース１１の前壁２２および上ケース１２の前壁３２に、夫々内蔵部品６１と対向する孔７１，７２が設けられている。
【００１７】
このため、筐体１０の形状の自由度やデザイン性を損なうことなく、筐体１０のうち内蔵部品６１と向かい合う部分に孔７１，７２を開けることができる。したがって、デザイン性の良好なポータブルコンピュータ１を得ることができる。
【００１８】
図５は、本発明の第２の実施の形態を開示している。
【００１９】
この第２の実施の形態では、上ケース１２から上記開口部７３およびメッシュ部材７４を省略し、この上ケース１２の前壁３２に複数の孔７２を直接形成している。上ケース１２の孔７２は、下ケース１１の孔７１よりも小さく形成している。なお、他の構成は、上記第１の実施の形態と同じであるから、重複する説明は図５に同符号を付して省略する。この第２の実施の形態においても、上記第１の実施の形態と同様の効果が得られる。
【図面の簡単な説明】
【００２０】
【図１】本発明の第１の実施の形態に係るポータブルコンピュータの斜視図。
【図２】本発明の第１の実施の形態に係るポータブルコンピュータの正面図。
【図３】図２中III−III線に沿って示す断面図。
【図４】図２中IV−IV線に沿って示す断面図。
【図５】本発明の第２の実施の形態に係るポータブルコンピュータの断面図。
【符号の説明】
【００２１】
１…電子機器（ポータブルコンピュータ）、２…機器本体、１０…筐体、１１…下ケース、１２…上ケース、２２，３２…壁部（前壁）、６１…内蔵部品、７１，７２…孔。
【図１】
2005071323.tif 000003
【図２】
2005071323.tif 000004
【図３】
2005071323.tif 000005
【図４】
2005071323.tif 000006
【図５】
2005071323.tif 000007